(57)【要約】      （修正有）【課題】本考案は精油発散装置を提供する。【解決手段】前記精油発散装置は、精油瓶１、密閉部品２および気流発生装置３を含む。前記精油瓶は収納部１ａと該収納部に連通した開口とを含み、前記密閉部品は前記精油瓶の開口に設けられ、前記密閉部品には前記収納部に連通した気体入口と気体出口とが形成されており、前記気流発生装置は前記密閉部品に接続されるとともに前記気体入口に連通する。本考案の精油発散装置によれば、粒径の大きい霧の形成を防止し、精油の無駄を省くことができる。【選択図】図２
0003212353.tif 000002
【実用新案登録請求の範囲】
【請求項１】
収納部と該収納部に連通した開口とを含む精油瓶と、
前記精油瓶の開口に設けられる密閉部品であって、前記収納部に連通した気体入口と気体出口が形成されている密閉部品と、
前記密閉部品に連結されるとともに前記気体入口に連通した気流発生装置とを含むことを特徴とする精油発散装置。
【請求項２】
前記精油発散装置は電磁弁と転倒防止スイッチを更に含み、前記電磁弁は前記気体出口に連通し、前記転倒防止スイッチは前記精油発散装置が転倒するとき当該精油発散装置の電源を切ることを特徴とする請求項１に記載の精油発散装置。
【請求項３】
前記転倒防止スイッチは、ガイドカップ、絶縁環状部、球体および銅製キャップを含み、前記ガイドカップと前記銅製キャップが前記絶縁環状部によって隔離されることにより２個の電気接触部が形成され、前記精油発散装置が転倒するとき、前記球体は前記２個の電気接触部を電気接続させることを特徴とする請求項２に記載の精油発散装置。
【請求項４】
前記精油発散装置は電気回路基板を更に含み、前記電気回路基板には制御ユニットと液面検知装置が設けられており、前記液面検知装置は前記精油瓶の外壁に設けられ、前記液面検知装置が前記精油瓶内の液面が所定値より低いことを検出したとき、前記制御ユニットは警告信号を送信することを特徴とする請求項１に記載の精油発散装置。
【請求項５】
前記液面検知装置は電極キャップと電気接続スプリングを含み、前記電気接続スプリングの下端は前記電気回路基板に取り付けられかつ当該電気回路基板に電気接続され、前記電気接続スプリングの上端は前記電極キャップに電気接続され、前記電極キャップは前記精油瓶の外壁に設けられかつ、検出された前記精油瓶内の液面信号を前記制御ユニットに送信することを特徴とする請求項４に記載の精油発散装置。
【請求項６】
前記制御ユニットは警告表示ランプを含むことを特徴とする請求項４に記載の精油発散装置。
【請求項７】
前記電気回路基板にはリチウムバッテリーコネクタおよび／或いは充電コネクタが設けられていることを特徴とする請求項４に記載の精油発散装置。
【請求項８】
前記気体出口は前記密閉部品の上端に形成され、前記気体入口は前記密閉部品の側壁に形成されていることを特徴とする請求項１に記載の精油発散装置。
【請求項９】
前記精油発散装置は連結管を更に含み、前記連結管の一端は前記密閉部品に連結されかつ前記気体入口と連通し、前記連結管の他端は前記収納部内に挿入されることを特徴とする請求項１に記載の精油発散装置。
【請求項１０】
前記精油発散装置はベースとケースを更に含み、前記精油瓶に近づいている前記ベースの一端には第一収納空間が形成されており、前記精油瓶の底部は前記第一収納空間内に収納され、前記ケースは前記ベースに着脱可能に結合され、前記ケースの上部には大気に連通するブラインド型気体出口が形成されており、該ブラインド型気体出口は前記気体出口と連通することを特徴とする請求項１ないし９のうちいずれか一項に記載の精油発散装置。
【考案の詳細な説明】
【技術分野】
【０００１】
本考案は、発散装置に関し、特に精油発散装置に関するものである。
【背景技術】
【０００２】
従来の精油発散装置は通常、キャリヤ霧化方法と気流霧化方法を採用している。キャリヤ霧化方法は、精油瓶における精油を水収納容器にしたたらし、超音波の高周波振動によって精油と水を一緒に霧化させた後、これらを大気中に放出する方法である。その方法は、もともとの精油の香りが変化し、かつ大気中の湿度が上昇するという欠点を有している。
【０００３】
気流霧化方法において、精油瓶におけるサイフォン管の上端は気体噴射管に連結され、該気体噴射管の一端はノズルに連結され、ノズルは大気に連通し、前記気体噴射管の他端はエアポンプに連結される。エアポンプによって形成された高圧気体は気体噴射管を介して高い速度でノズル側に流れ、高速気体によりサイフォン管の上端の圧力が小さくなることにより、精油瓶における精油はサイフォン管の上方へ流れ、かつ気体噴射管内に流入することができる。このとき、気体噴射管における精油は高速・高圧の気流と突き当たることにより霧化の状態になり、かつノズルによって大気中に放出される。その方法は、もともとの精油の香りを変化させず、大気中の湿度を上昇させないが、霧の粒径が大きいことによって無駄に精油が消費するという欠点を有している。
【考案の概要】
【考案が解決しようとする課題】
【０００４】
本考案は、粒径の大きい霧の形成を防止し、精油の無駄を省くことができる精油発散装置を提供することを目的とする。
【課題を解決するための手段】
【０００５】
本考案に係る精油発散装置によれば、精油瓶、密閉部品および気流発生装置を含み、前記精油瓶は、収納部と該収納部に連通した開口とを含み、前記密閉部品は前記精油瓶の開口に設けられ、前記密閉部品には前記収納部に連通した気体入口と気体出口とが形成されており、前記気流発生装置は前記密閉部品に連結されるとともに前記気体入口に連通する。
【０００６】
好ましくは、前記精油発散装置は電磁弁と転倒防止スイッチを更に含む。前記電磁弁は前記気体出口に連通し、前記転倒防止スイッチは前記精油発散装置が転倒するとき当該精油発散装置の電源を切る。
【０００７】
好ましくは、前記転倒防止スイッチは、ガイドカップ、絶縁環状部、球体および銅製キャップを含む。前記ガイドカップと前記銅製キャップが前記絶縁環状部によって隔離されることにより２個の電気接触部が形成され、前記精油発散装置が転倒するとき、前記球体によって前記２個の電気接触部を電気接続させる。
【０００８】
好ましくは、前記精油発散装置は電気回路基板を更に含む。前記電気回路基板には制御ユニットと液面検知装置が設けられ、前記液面検知装置は前記精油瓶の外壁に設けられ、前記制御ユニットは、前記液面検知装置が前記精油瓶内の液面が所定値より低いことを検出したとき、警告信号を送信する。
【０００９】
好ましくは、前記液面検知装置は電極キャップと電気接続スプリングを含む。前記電気接続スプリングの下端は前記電気回路基板に取り付けられかつ当該電気回路基板に電気接続され、前記電気接続スプリングの上端は前記電極キャップに電気接続され、前記電極キャップは前記精油瓶の外壁に設けられかつ、検知された精油瓶内の液面信号を前記制御ユニットに送信する。
【００１０】
好ましくは、前記制御ユニットは警告表示ランプを含む。
【００１１】
好ましくは、前記電気回路基板にはリチウムバッテリーコネクタおよび／或いは充電コネクタが設けられている。
【００１２】
好ましくは、前記気体出口は前記密閉部品の上端に形成され、前記気体入口は前記密閉部品の側壁に形成されている。
【００１３】
好ましくは、前記精油発散装置は連結管を更に含む。前記連結管の一端は前記密閉部品に連結されかつ前記気体入口と連通し、前記連結管の他端は前記収納部内に挿入される。
【００１４】
好ましくは、前記精油発散装置はベースとケースを更に含む。前記精油瓶に近づいている前記ベースの一端には第一収納空間が形成されており、前記精油瓶の底部は前記第一収納空間内に収納され、前記ケースは前記ベースに着脱可能に結合され、前記ケースの上部には大気に連通するブラインド型気体出口が形成されており、該ブラインド型気体出口は前記気体出口と連通する。
【考案の効果】
【００１５】
本考案の実施例において、密閉部品には精油瓶の収納部に連通した気体入口と気体出口とが形成されており、密閉部品は前記精油瓶の開口に設けられ、前記気流発生装置は前記密閉部品に接続されるとともに前記気体入口に連通する。これにより、前記気流発生装置によって形成された気体は前記気体入口より前記精油瓶に迅速に注入され、前記精油瓶における精油が気化した後、前記気体の連動により前記気体出口から大気中に発散する。これにより、粒径の大きい霧の形成を効率に防止し、精油の消費量を節約することができる。
【図面の簡単な説明】
【００１６】
本考案の実施例または従来の技術の技術的事項をより詳細に説明するため、以下、本実施例または従来の技術における図面を簡単に説明する。後述する図面は本考案の例示にしか過ぎないものであり、本技術分野の当業者は本考案の要旨を逸脱しない範囲で図面を変更するか、或いは一実施例の図面により他の実施例の図面を獲得することができる。
【図１】本考案の精油発散装置の構造を示す斜視図である。
【図２】図１の精油発散装置の構造を示す断面図である。
【図３】図１の精油発散装置の一部の構造を示す分解図である。
【図４】図１の精油発散装置の一部の構造を示す分解図である。
【図５】図１の精油発散装置の一部の構造を示す断面図である。
【考案を実施するための形態】
【００１７】
本考案の目的、特徴および考案の効果をより詳細に説明するため、以下、本考案の実施例と図面により本考案を詳細に説明する。
【００１８】
以下、本考案の実施例の図面により本考案の実施例に係る技術的事項を詳細に説明する。後述する実施例は、本考案の一部の例示にしか過ぎず、本考案のあらゆる実施例を代表できるものでない。本技術分野の当業者は、創造性のある工夫をしなくても本考案の実施例によって他の実施例を容易に想到することができ、想到の実施例が本考案に含まれることは当然である。
【００１９】
本考案の実施例に含まれる方向を示す表現（例えば、上、下、左、右、前、後など）は、止まっている発散装置（例えばある図面に示される発散装置）における、各部品の間の相対的位置、移動状況などを説明するものである。発散装置の姿勢が変化するとき、各部品の姿勢も一緒に変化する。
【００２０】
本考案には「第一」、「第二」などのような表現が記載されているが、それらは技術的事項を説明するものであるが、部品の個数を直接または間接に意味するものではない。すなわち、「第一」、「第二」ということは特徴が少なくとも一個含まれることを意味する。当業者が容易に想到できる技術的事項であれば、異なる実施例の技術的事項を１つに組み合わせることができる。異なる実施例の技術的事項を１つに組み合わせることにより、矛盾が生ずる場合や実現不可能な技術的事項が形成される場合、このような技術的事項は存在せずかつ本考案の実用新案登録請求の範囲に属しないものとみなす。
【００２１】
本考案は精油発散装置を提供する。
【００２２】
精油は、香りを発散する以外に、他の所定の機能を奏することができる。例えば、レモンオイルはユーザーの元気を取り戻し、仕事の効率を向上させる機能を有しており、ペパーミントオイルは緊張を解消する機能を有しており、ラベンダーオイルは睡眠を促進する機能を有している。そのため、ユーザーは、精油が収納された精油発散装置を室内または車内によく設置する。
【００２３】
図１ないし図５を参照すると、それらには本考案の精油発散装置が示されている。前記精油発散装置は、精油瓶１、密閉部品２および気流発生装置３を含む。前記精油瓶１は収納部１ａと該収納部１ａに連通した開口１ｂとを含み、前記密閉部品２は前記精油瓶１の開口１ｂに設けられ、前記密閉部品２には前記収納部１ａに連通した気体入口２ａと気体出口２ｂとが形成されており、前記気流発生装置３は前記密閉部品２に接続されるとともに前記気体入口２ａに連通する。
【００２４】
前記精油瓶１の開口１ｂの形状は円形であり、前記密閉部品２の形状は略円柱形である。具体的に、前記密閉部品２は前記精油瓶１の開口１ｂをカバーするように設けられ、前記精油瓶１を密閉させる作用を奏する。
【００２５】
具体的に、前記気体出口２ｂは前記密閉部品２の上部に形成され、前記気体出口２ｂは前記密閉部品２の中央に位置し、前記気体入口２ａは前記密閉部品２の側壁に形成されている。他の実施例において、前記気体入口２ａは前記密閉部品２の上部に形成され、前記気体入口２ａは前記気体出口２ｂの一側に位置してもよい。
【００２６】
前記気流発生装置３は前記密閉部品２の気体入口２ａに連通する。具体的に、前記気流発生装置３の気体出口は気体管４によって前記気体入口２ａに連通する。前記気流発生装置３は高圧気体を前記精油瓶１の収納部１ａに迅速に注入する。前記気流発生装置３はエアポンプであってもよい。
【００２７】
前記気流発生装置３が気体を前記精油瓶１の収納部１ａに迅速に注入するとき、前記収納部１ａ内の圧力が増加する。前記密閉部品２と前記精油瓶１の開口１ｂとの間の連結の安定性がよくないと、前記密閉部品２と前記精油瓶１との間に隙間が形成され、精油の漏れにより精油の無駄が発生するおそれがある。
【００２８】
前記精油瓶１と前記密閉部品２はいずれも固定フレーム５に固定される。図５に示すとおり、前記固定フレーム５は第一取付け部５ａと該第一取付け部５ａに接続される第二取付け部５ｂとを含み、前記第二取付け部５ｂは前記第一取付け部５ａの上方に位置している。精油発散装置を組み立てるとき、前記精油瓶１のくび部を前記第一取付け部５ａのネジ部に結合させる。前記密閉部品２は前記精油瓶１の開口１ｂをカバーするように設けられ、前記密閉部品２の側壁と前記第二取付け部５ｂはロック構造によって連結固定される。これにより前記密閉部品２を前記精油瓶１の開口１ｂに安定に取り付けることができる。
【００２９】
前記第二取付け部５ｂには前記気流発生装置３を介して前記気体入口２ａに連通する連通孔５ｃがさらに形成されている。前記気流発生装置３は前記固定フレーム５に取り付けられかつ前記精油瓶１の一側に位置する。
【００３０】
本考案の実施例において、密閉部品２には精油瓶１の収納部１ａに連通した気体入口２ａと気体出口２ｂとが形成されており、密閉部品２は前記精油瓶１の開口１ｂに設けられ、前記気流発生装置３は前記密閉部品２に接続されるとともに前記気体入口２ａに連通する。これにより、前記気流発生装置３によって形成された気体は前記気体入口２ａによって前記精油瓶１に迅速に注入され、前記精油瓶１における精油は気化した後、前記気体の連動により前記気体出口２ｂから大気中に発散する。これにより、粒径の大きい霧の形成を防止し、精油の無駄を省くことができる。
【００３１】
図２と図３を参照すると、前記精油発散装置は電磁弁６と転倒防止スイッチ（図示せず）とを更に含む。前記電磁弁６は前記気体出口２ｂに連通し、前記転倒防止スイッチは、前記精油発散装置が転倒するとき、当該精油発散装置の電源を切ることにより精油が前記精油瓶１から漏洩することを防止する。
【００３２】
本考案の好適な実施例において、前記転倒防止スイッチは、ガイドカップ、絶縁環状部、球体および銅製キャップを含む。前記ガイドカップと前記銅製キャップが前記絶縁環状部によって隔離されることにより２個の電気接触部が形成され、前記球体は前記ガイドカップ内に設けられる。前記精油発散装置が転倒するとき、前記球体が前記２個の電気接触部を電気接続させることにより、低レベル信号をシングルチップに送信し、前記精油発散装置の電源を切り、すなわち、精油発散装置をオフにする。
【００３３】
具体的に、前記転倒防止スイッチが正常に立っているとき、前記球体は前記ガイドカップと前記銅製キャップとの間の２個の電気接触部を切断し、前記転倒防止スイッチの傾斜角度が４５度以上になるとき、前記球体は、前記ガイドカップと前記銅製キャップとの間の２個の電気接触部を電気接続させる。
【００３４】
さらに、前記精油発散装置は電気回路基板７を更に含む。前記電気回路基板７には制御ユニットと液面検知装置８が設けられている。前記液面検知装置８は前記精油瓶の外壁（側壁または底部壁）に設けられ、前記液面検知装置８により前記精油瓶１内の液面が所定値（例えばゼロ）より低いことが検出されたとき、前記制御ユニットは警告信号を送信する。
【００３５】
本実施例において、前記電気回路基板７は第一電気回路基板７ａと第二電気回路基板７ｂを含み、前記第一電気回路基板７ａと前記第二電気回路基板７ｂは電気接続されている。前記第一電気回路基板７ａには、前記液面検知装置８、リチウムバッテリーコネクタおよび充電コネクタが設けられている。前記第二電気回路基板７ｂには、前記転倒防止スイッチ、前記気流発生装置３の電源コネクタ、前記電磁弁６の電源コネクタおよびスイッチボタンが設けられている。
【００３６】
本考案の好適な実施例において、前記液面検知装置８は電極キャップ８ａと電気接続スプリング８ｂを含む。前記電気接続スプリング８ｂの下端は前記第一電気回路基板７ａに取り付けられかつ当該第一電気回路基板７ａと電気接続されている。前記電気接続スプリング８ｂの上端は前記電極キャップ８ａに取り付けられかつ当該電極キャップ８ａと電気接続されている。前記電極キャップ８ａは、前記精油瓶１の外壁に設けられ、検知された精油瓶１内の液面信号を電気信号に変換した後、この電気信号を前記電気接続スプリング８ｂによって前記制御ユニットに送信する。
【００３７】
前記電気接続スプリング８ｂによって前記電極キャップ８ａを前記精油瓶１の外壁に押すことにより、前記電極キャップ８ａと前記精油瓶１の外壁との間の接触の安定性を向上させ、かつ前記電極キャップ８ａと前記第一電気回路基板７ａとの間の電気接続を実現することができる。
【００３８】
本実施例において、前記制御ユニットは警告表示ランプを含む。具体的に、前記警告表示ランプは前記第二電気回路基板７ｂに設けられる。前記制御ユニットは、前記精油瓶１内の液面が所定値より低いことを意味する警告信号を受信するとき、前記警告表示ランプを点滅させることにより精油を入れ替えるか或いは添加することをユーザーに提示する。前記警告表示ランプの設置は、設置空間を占用せず、かつノイズが生じない。
【００３９】
他の実施例において、前記制御ユニットは例えばスピーカーなどの音声警告装置を含んでもよい。
【００４０】
前記電気回路基板７にはリチウムバッテリーコネクタおよび／或いは充電コネクタが更に設けられている。本実施例において、前記第一電気回路基板７ａにはリチウムバッテリーコネクタと充電コネクタが更に設けられ、前記充電コネクタはＵＳＢコネクタである。前記充電コネクタが外部電源に接続されていないとき、前記精油発散装置は前記リチウムバッテリーコネクタに電気接続されるリチウムバッテリー１２の電力によって作動し、前記充電コネクタが外部電源に接続されているとき、前記精油発散装置は外部電源からの電力によって作動する。前記リチウムバッテリー１２の電量が少ないとき、前記外部電源は前記充電コネクタによって当該リチウムバッテリー１２を充電することができる。
【００４１】
図３と図５を参照する。本実施例において、前記気体出口２ｂは前記密閉部品２の上端に形成され、前記気体入口２ａは前記密閉部品２の側壁に形成されている。
【００４２】
本考案の好適な実施例において、前記精油発散装置は連結管（図示せず）を更に含む。前記連結管の一端は前記密閉部品２に連結されかつ前記気体入口２ａと連通し、前記連結管の他端は前記収納部１ａ内に挿入される。前記連結管は、前記精油瓶１の収納部１ａ内に注入される気体の圧力を増加させることにより前記収納部１ａ内の精油の気化率を向上させる機能を有する。
【００４３】
図４を参照すると、前記精油発散装置は、ベース９、ロックモジュール１０、底部蓋１１およびリチウムバッテリー１２を更に含む。前記精油瓶１に近づいている前記ベース９の一端には第一収納空間９ａが形成されており、前記精油瓶１の底部は前記第一収納空間９ａ内に収納される。前記精油瓶１から離れている前記ベース９の他端には第二収納空間９ｂが形成されている（図２に示すとおり）。前記ベース９の側壁には対称する２つの結合凹部９ｃが形成されており、前記ロックモジュール１０は前記結合凹部９ｃ内に結合される。前記底部蓋１１は前記第二収納空間９ｂの開口部に覆われる。前記リチウムバッテリー１２は前記第二収納空間９ｂ内に位置するとともに前記底部蓋１１に位置する。
【００４４】
具体的に、前記ロックモジュール１０はホック１０ａと該ホック１０ａに連結されるホックスプリング１０ｂとを含む。前記ホック１０ａは前記ホックスプリング１０ｂを圧縮するように前記結合凹部９ｃ内に結合される。前記ホックスプリング１０ｂは、前記ホック１０ａの着脱を容易にすることができる機能を有する。
【００４５】
前記精油発散装置はケース１３を更に含み、該ケース１３は前記ベース９のホック１０ａに着脱可能に結合される。前記ケース１３の上部には外部と貫通するブラインド型気体出口１３ａが形成されており、該ブラインド型気体出口１３ａは前記気体出口２ｂに連通する。前記ケース１３が前記ベース９に着脱可能に結合されることにより、前記精油発散装置の組み立てと分解を容易にし、精油の入れ替えと添加を容易にすることができる。前記固定フレーム５は前記ケース１３に固定される。
【００４６】
前記精油発散装置は気体排出網部（図示せず）を更に含み、該気体排出網部は前記ブラインド型気体出口１３ａの下部に設けられる。前記気体排出網部はホコリなどの異物が前記気体出口２ｂに入ることを防止することができる。
【００４７】
図３を参照すると、前記精油発散装置は押し板１４を更に含む。前記押し板１４は前記電磁弁６と前記気流発生装置３の上方に位置し、かつ前記電磁弁６と前記気流発生装置３を前記固定フレーム５側へ押す。
【００４８】
本実施例において、前記第一電気回路基板７ａは前記ベース９内に設けられ、前記第二電気回路基板７ｂは前記押し板１４の上方に設けられる。前記第一電気回路基板７ａと前記第二電気回路基板７ｂはケーブルによって電気接続される。
【００４９】
以上、本考案の好適な実施例を詳述してきたが、前記実施例は本考案の例示にしか過ぎないものであるため、本考案は前記実施例の構成にのみ限定されるものではなく、本考案の要旨を逸脱しない範囲の設計の変更等があっても本考案に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。
【符号の説明】
【００５０】
１  精油瓶
１ａ  収納部
１ｂ  開口
２  密閉部品
２ａ  気体入口
２ｂ  気体出口
３  気流発生装置
５  固定フレーム
５ａ  第一取付け部
５ｂ  第二取付け部
５ｃ  連通孔
６  電磁弁
７  電気回路基板
７ａ  第一電気回路基板
７ｂ  第二電気回路基板
８  液面検知装置
８ａ  電極キャップ
８ｂ  電気接続スプリング
９  ベース
９ａ  第一収納空間
９ｂ  第二収納空間
９ｃ  結合凹部
１０  ロックモジュール
１０ａ  ホック
１０ｂ  ホックスプリング
１１  底部蓋
１２  リチウムバッテリー
１３  ケース
１３ａ  ブラインド型気体出口
１４  押し板
【図１】
0003212353.tif 000003
【図２】
0003212353.tif 000004
【図３】
0003212353.tif 000005
【図４】
0003212353.tif 000006
【図５】
0003212353.tif 000007